(57)【要約】      （修正有）【課題】支柱の固定が安定し、かつ植栽物の根腐れを防止する植木鉢を提供する。【解決手段】植木鉢本体１と内部中央部底面から突起した円錐形状（メッシュが施してある）の頂点部分から支柱を差込む穴３を一体形成して支柱倒れを防止する。周囲にも３カ所支柱差込み用穴を設け、植物の栽培の例えばアサガオ等のツル性とか、種類の多様性に対応する。円錐形状下部のメッシュ構造と、鉢底部を嵩上げ及び支柱差込み円錐形状を一対に形成することにより、底部面積を大とする。従って底石の不要及び、土壌を大気にふれる面積を広げることになり、植物の根腐れ防止及び植物の根の促進をはかることが出来る。【選択図】図１
0003157535.tif 000002
【実用新案登録請求の範囲】
【請求項１】
植木鉢本体（１）の内部底面に突起した円錐形状（２）を一体形成する。
尚、円錐形状の頂点部分から支柱を差込む穴（３）を設ける。
また突起した円錐形状は、メッシュ構造（２）とするので、通気性・排水性を高め、根腐れ防止の役目をする支柱固定付根腐れ防止植木鉢。
【考案の詳細な説明】
【技術分野】
【０００１】  本考案は、内部底面の中央部分に突起した円錐形状にメッシュした通気穴及び、その円錐形状頂点部分から支柱を差し込める穴を設けた、植木鉢に関するのもである。
【背景技術】
【０００２】  土に埋めただけの支柱に植物の茎を支えて栽培していたが、風雨等により支柱が倒れたり、鉢底部の通気性が悪いと根腐れして、栽培植物がだめになっていた。
【先行技術文献】
【特許文献】
【０００３】
【特許文献１】登録実用新案第３１１６６２９号公報
【考案の概要】
【考案が解決しようとする課題】
【０００４】  栽培植物の背が、高ければ高い程土中に差しただけの支柱では植物の茎を支えるのは、不安定である。植物が成長するにつれ根張りをする。やがて底面に於いては通気性を欠き植腐れを生じやすい。
従って、内部底面の中央部分に突起した円錐形状にメッシュを施し、通気性を持たせ、更に円錐頂点部分から支柱を差込む穴を設けることにより固定と根の成長を促進させる円錐形状メッシュ構造が、前述の欠点を解決しようとするものである。
【課題を解決するための手段】
【０００５】  本考案は、植木鉢内部底面の中央部分に突起した円錐形状にメッシュを施し、通気性を持たせ、円錐頂点部分から支柱を差込む穴を設ける。また鉢としての多様性を持たせる為に、内部数カ所に、支柱を差込める穴を設け、それらを本体と一体形成することにより、問題を解決している。
【考案の効果】
【０００６】  上述の様に、本考案の植木鉢は、突起した円錐形状頂点から支柱を差込む穴を設け、差込んだ時固定することによって、風雨等による支柱倒れの防止に効果がある。
また、円錐形状にメッシュ設ける事により鉢底部の通気性、排水性を確保することが出来るので、植物の根腐れ防止と成長を促進する効果がある。
【図面の簡単な説明】
【０００７】
【図１】本考案の植木鉢の平面図である。
【図２】本考案の植木鉢の断面図である。
【図３】本考案の円錐形状の支柱差込みと円錐形状にメッシュを施した構造の詳細図である。
【図４】本考案の植木鉢の底部平面図である。
【図５】本考案の円錐形状の支柱差込み穴の断面詳細図である。
【考案の実施するための形態】
【０００８】  内部底面の中央部分に突起した円錐形状にメッシュを施し、円錐形状の頂点部分から支柱を差込む穴を設けた植木鉢に培養土を入れ、植物の茎を支柱に固定し植栽する。
【実施例】
【００９】  以下、添付図面に従って一実施例を説明する。
１のポリエチレンや塩化ビニール製の本体植木鉢内部底面の中央部に突起した円錐形状頂点部分から支柱穴（３）を設け、支柱を立て鉢に培養土を入れる。
尚、植物の成長につれ支柱に結びながら、倒れを防止する。
【符号の説明】
【０００１０】（１）  植木鉢本体
（２）  円錐形状（メッシュを施したもの）の通気穴
（３）  円錐形状頂点からの支柱差込み穴
【図１】
0003157535.tif 000003
【図２】
0003157535.tif 000004
【図３】
0003157535.tif 000005
【図４】
0003157535.tif 000006
【図５】
0003157535.tif 000007
【手続補正書】
【提出日】平成21年11月20日(2009.11.20)
【手続補正１】
【補正対象書類名】実用新案登録請求の範囲
【補正対象項目名】全文
【補正方法】変更
【補正の内容】
【実用新案登録請求の範囲】
【請求項１】
植木鉢本体（１）の内部底面に突起した円錐形状（２）を形成し、円錐形状の頂点部分と円錐形状の裾の周囲にも支柱を差込む穴（３）、（４）を略垂直に設け、更に突起した円錐形状は、メッシュ構造（２）としたことを特徴とする支柱固定付根腐防止植木鉢。
【手続補正２】
【補正対象書類名】明細書
【補正対象項目名】全文
【補正方法】変更
【補正の内容】
【考案の詳細な説明】
【技術分野】
【０００１】  本考案は、内部底面の中央部分に突起した円錐形状にメッシュ構造の通気穴及び、その円錐形状頂点部分と円錐形状の裾の周囲にも支柱を差込む穴を設けた、植木鉢に関するのもである。
【背景技術】
【０００２】  土に埋めただけの支柱に植物の茎を支えて栽培していたが、風雨等により支柱が倒れたり、鉢底部の通気性が悪いと根腐れして、栽培植物がだめになっていた。
【先行技術文献】
【特許文献】
【０００３】
【特許文献１】  登録実用新案第３１１６６２９号公報
【考案の概要】
【考案が解決しようとする課題】
【０００４】  栽培植物の背が、高ければ高い程土中に差しただけの支柱では植物の茎を支えるのは、不安定である。植物が成長するにつれ根張りをする。やがて底面に於いては通気性を欠き植腐れを生じやすい。
従って、内部底面の中央部分に突起した円錐形状にメッシュを施し、通気性を持たせ、更に円錐形状頂点部分と円錐形状の裾の周囲にも支柱を差込む穴を設けて支柱を固定し、前述の欠点を解決しようとするものである。
【課題を解決するための手段】
【０００５】  本考案は、植木鉢本体（１）の内部底面に突起した円錐形状（２）を形成し、円錐形状頂点部分と円錐形状の裾の周囲にも支柱を差込む穴（３）、（４）を略垂直に設け、更に、突起した円錐形状は、メッシュ構造（２）とすることにより、問題を解決している。
【考案の効果】
【０００６】  上述の様に、本考案の植木鉢は、内部底面に突起した円錐形状頂点と円錐形状の裾の周囲にも支柱を差込む穴を設け、差込んだ支柱を植木鉢本体と固定することによって、風雨等による支柱倒れの防止に効果があり、円錐形状にメッシュを設ける事により鉢底部の通気性、排水性を確保することが出来るので、植物の根腐れ防止と成長を促進する効果がある。
【図面の簡単な説明】
【０００７】
【図１】  本考案の植木鉢の斜視図である。
【図２】  本考案の植木鉢の縦断面図である。
【図３】  本考案の植木鉢の平面図である。
【考案を実施するための形態】
【０００８】  植木鉢内部底面に突起した円錐形状にメッシュを施し、その円錐形状の頂点部分と円錐形状の裾の周囲にも支柱を差込む穴を設け、植木鉢に培養土を入れ、植物の茎を支柱に固定し植栽する。
【実施例】
【０００９】  以下、添付図面に従って一実施例を説明する。
植木鉢本体（１）の内部底面に突起した円錐形状の頂点部分と円錐形状の裾の周囲にも支柱を差込む穴（３）を設け、その穴に支柱を立て鉢に培養土を入れ、植物の成長につれ茎を支柱に結びながら、倒れを防止する。
【符号の説明】
【００１０】（１）  植木鉢本体
（２）  円錐形状（メッシュを施したもの）の通気穴
（３）  円錐形状頂点からの支柱差込み穴
（４）  円錐形状の裾の周囲の支柱差込み穴
【手続補正３】
【補正対象書類名】図面
【補正対象項目名】全図
【補正方法】変更
【補正の内容】
【図１】
0003157535.tif 000008
【図２】
0003157535.tif 000009
【図３】
0003157535.tif 000010